(57)【要約】【課題】データそのもののセキュリティ性を高めるようにしたデータセキュリティフォームとその製造方法を提供する。【解決手段】データセキュリティフォーム１０は、表出する面（第１の基材１１の表面）に第１のデータａが印字された第１の基材１１と、第１の基材１１と貼り合わされ、表出しない内部（第２の基材１２の表面）に第２のデータｂが印字された第２の基材１２とを備えている。第２のデータは、第１、第２の基材１１、１２を透かして判読できる。第１及び第２のデータａ，ｂは、各データ単体では十分な情報ではなく、重ね合わせたときに、完全な情報となるデータである。第２のデータは、第１、第２の基材１１、１２を透かして判読できる。【選択図】        図１
2005007777.tif 000002
【特許請求の範囲】
【請求項１】
基材の表出する面に第１のデータを設け、
前記基材の表出しない内部の少なくとも１層に第２のデータを設け、
前記第２のデータは、前記基材を透かして判読でき、
前記第１及び第２のデータは、各データ単体では十分な情報ではなく、重ね合わせたときに、完全な情報となること、
を特徴とするデータセキュリティフォーム。
【請求項２】
表出する面に第１のデータが印字された第１の基材と、
前記第１の基材の下側に貼り合わされ、第２のデータが印字された少なくとも１つの第２の基材とを備え、
前記第２のデータは、前記第１及び／又は第２の基材を透かして判読でき、
前記第１及び第２のデータは、各データ単体では十分な情報ではなく、重ね合わせたときに、完全な情報となること、
を特徴とするデータセキュリティフォーム。
【請求項３】
請求項１又は請求項２に記載のデータセキュリティフォームにおいて、
前記第１及び第２のデータは、氏名、会員番号、住所、電話番号、発行番号、金銭、日時に代表される本人又は伝票自体、伝票発行業務を特定するための識別に関連するデータであること、
を特徴とするデータセキュリティフォーム。
【請求項４】
請求項１から請求項３までのいずれか１項に記載のデータセキュリティフォームにおいて、
前記各基材は、フォーム用上質紙、上質紙、中質紙を含む透過性の低い紙、又は、ＰＥＴ、ＰＰ、ＰＶＣを含む乳白色の透過性の低い合成紙であること、
を特徴とするデータセキュリティフォーム。
【請求項５】
請求項１から請求項４までのいずれか１項に記載のデータセキュリティフォームを製造するデータセキュリティフォームの製造方法において、
前記第１の基材の第１のデータと、前記第２の基材に前記第２のデータとを、同一のプリンタによって同時に印字する印字工程と、
前記第１の基材と前記第２の基材を、前記第２のデータが表出しないように略全面を貼り合わせる貼り合わせ工程と、
を備えることを特徴とするデータセキュリティフォームの製造方法。
【発明の詳細な説明】
【０００１】
【発明の属する技術分野】
本発明は、印字データにセキュリティ性をもたせたデータセキュリティフォームとその製造方法に関するものである。
【０００２】
【従来の技術】
現在、ＮＩＰ用（フォーム用）上質紙にデータを印字した場合に、この印字データそのものの正確さは、元のデータにまで遡って確認しなければならず、現実的には、この印字データそのものをその場でチェックすることは困難である。
【０００３】
その結果、用紙そのものの絵柄の中に『コピー牽制用の模様』を埋め込んでみたり、又は、印字した用紙の一部にバーコードやＯＣＲ文字のようなマシンリーダブルな記号を設けておき、例えば、窓口でこの記号を読み取って検証するようにしていた。
【０００４】
前述したコピー牽制用の模様は、これまで、それなりの効果が認められてきたが、スキャナやコピー機の性能が向上するのに伴って、実質的な効果としては期待できなくなってきている。
【０００５】
一方、バーコードやＯＣＲ文字のような記号を印字データ面の一部に設ける方法においては、印字デザインの体裁が悪くなるという問題に加え、読み取る機械が存在しなければ使えない（特に、非常時等では使いにくい）、という決定的な問題があった。
【０００６】
そこで、ホログラムラベルを貼り込んだり（例えば、特許文献１）、又は、パールインキのような特殊印刷を施した用紙を使用するようなもの（例えば、特許文献２）も提案、実用化されてきている。
【特許文献１】
特開２０００−１９４２６５号公報
【特許文献２】
特開平９−１６９１６１号公報
【０００７】
【発明が解決しようとする課題】
しかし、これらは、確かに媒体としての偽造そのものは困難であるが、印字データ自体の変造（改ざん）に対しては、無防備な場合も少なからずあった。
つまり、ホログラムラベルの上に印字することはできず、また、印字した後でホログラムラベルを上から貼り込むことは、印字データが判読できなくなる（又は、判読しにくくなる）ことから、ホログラムラベルは、印字データとは重ならない位置に貼らなければならない。
【０００８】
また、パールインキの場合も同様であり、パールインキに限らず、インキ上は印字トナー（ＩＪであればＩＪインキ）の定着性が悪くなるため、印字部分に重ならない位置に配置しなければならない。
【０００９】
本発明の課題は、データそのもののセキュリティ性を高めるようにしたデータセキュリティフォームとその製造方法を提供することである。
【００１０】
【課題を解決するための手段】
前記課題を解決するために、請求項１の発明は、基材の表出する面に第１のデータを設け、前記基材の表出しない内部の少なくとも１層に第２のデータを設け、前記第２のデータは、前記基材を透かして判読でき、前記第１及び第２のデータは、各データ単体では十分な情報ではなく、重ね合わせたときに、完全な情報となること、を特徴とするデータセキュリティフォームである。
【００１１】
請求項２の発明は、表出する面に第１のデータが印字された第１の基材と、前記第１の基材の下側に貼り合わされ、第２のデータが印字された少なくとも１つの第２の基材とを備え、前記第２のデータは、前記第１及び／又は第２の基材を透かして判読でき、前記第１及び第２のデータは、各データ単体では十分な情報ではなく、重ね合わせたときに、完全な情報となること、を特徴とするデータセキュリティフォームである。
【００１２】
請求項３の発明は、請求項１又は請求項２に記載のデータセキュリティフォームにおいて、前記第１及び第２のデータは、氏名、会員番号、住所、電話番号、発行番号、金銭、日時に代表される本人又は伝票自体、伝票発行業務を特定するための識別に関連するデータであること、を特徴とするデータセキュリティフォームである。
【００１３】
請求項４の発明は、請求項１から請求項３までのいずれか１項に記載のデータセキュリティフォームにおいて、前記各基材は、フォーム用上質紙、上質紙、中質紙を含む透過性の低い紙、又は、ＰＥＴ、ＰＰ、ＰＶＣを含む乳白色の透過性の低い合成紙であること、を特徴とするデータセキュリティフォームである。
【００１４】
請求項５の発明は、請求項１から請求項４までのいずれか１項に記載のデータセキュリティフォームを製造するデータセキュリティフォームの製造方法において、前記第１の基材の第１のデータと、前記第２の基材に前記第２のデータとを、同一のプリンタによって同時に印字する印字工程と、前記第１の基材と前記第２の基材を、前記第２のデータが表出しないように略全面を貼り合わせる貼り合わせ工程と、を備えることを特徴とするデータセキュリティフォームの製造方法である。
【００１５】
【発明の実施の形態】
以下、図面等を参照して、本発明の実施の形態について、さらに詳しく説明する。
（第１実施形態）
図１は、本発明によるデータセキュリティフォームの第１実施形態を示した図である。
第１実施形態のデータセキュリティフォーム１０は、パスワードの通知書を例にしたものであり、第１の基材１１と、第２の基材１２とを備えている。
第１の基材１１は、表出する面（第１の基材１１の表面）に第１のデータａが印字された用紙である。
第２の基材１２は、第１の基材１１と貼り合わされ、表出しない内部（第２の基材１２の表面）に第２のデータｂが印字された用紙である。
【００１６】
第１及び第２の基材１１、１２は、フォーム用上質紙、上質紙、中質紙等の透過性の低い紙、又は、ＰＥＴ、ＰＰ、ＰＶＣ等の乳白色の透過性の低い合成紙を用いることができる。
第１及び第２のデータａ，ｂは、例えば、氏名、会員番号、住所、電話番号、発行番号、金銭、日時に代表される本人又は伝票自体、伝票発行業務を特定するための識別に関連するデータであり、第１及び第２のデータａ，ｂは、各データ単体では十分な情報ではなく、重ね合わせたときに、完全な情報となるデータである。
この第２のデータは、第１、第２の基材１１、１２を透かして判読できる。例えば、このフォーム１０の背面に光源を置いて、光学的に透かして判読することができる。
【００１７】
このデータセキュリティフォーム１０は、第１の基材１１の第１のデータａを、第２の基材１２に第２のデータｂを、同一のプリンタによって同時に印字し（印字工程）、第１の基材１１と第２の基材１２を、第２のデータｂが表出しないように略全面を貼り合わせる（貼り合わせ工程）。
第１のデータａと第２のデータｂを、同一のプリンタによって同時に印字することにより、データのマッチングミスがなくなる。
第２のデータｂが表出しないように、第１、第２の基材１１、１２の略全面を貼り合わせるので、各データ単体ａ，ｂでは十分な情報ではなく、重ね合わせたときに、完全な情報となるデータとなる。
【００１８】
次に、具体的な製造例をあげて、さらに詳しく説明する。
（１）第１の基材１１として、２１０ｍｍ幅の左右に、各１２．  ７ｍｍ幅のマージナルパンチ（貼り合わせの位置決めのために）を設けた２３５．  ４ｍｍ幅のＮＩＰ用上質紙に対して、所定の印字（第１のデータ）ａを行う。
ここでは、印字ａは、氏名と、問合せ先電話番号である。
（２）次いで、第２の基材１２として、同様に、２１０ｍｍ幅の左右に各１２．  ７ｍｍ幅のマージナルパンチを設けた同一幅のＮＩＰ用上質紙に所定の印字（第２のデータ）ｂを行う。
ここでは、印字ｂは、通知の日付、パスワード、有効期限の日付である。
（３）印字ａと印字ｂは、少なくとも一部に関連性を有するデータが存在していて、いずれか１方のみでは、不十分なデータである。
【００１９】
（４）この印字された第１の基材１１に、印字された第２の基材１２を、印字ａが表出し、印字ｂが内在するように貼り合わせる。
（５）印字ｂのうち、少なくとも一部の印字データは、第１の基材１１、及び／又は、第２の基材１２の面から見て、背面に光源を有した場合に、透過して判読できるように工夫されている。
（６）その結果、表出する印字ａのデータと、内在された印字ｂとが、重ね合わせたときに、完全な情報となるデータとなり、その正確さが保証される。
【００２０】
このように、本実施形態によれば、第１の基材１１の表出する面に第１のデータａを設け、第２の基材１２の表面の表出しない内部に第２のデータｂを設け、第２のデータｂは、第１及び／又は第２の基材１１、１２を透かして判読できるようにしたので、第１及び第２のデータａ，ｂは、各データ単体では十分な情報ではなく、重ね合わせたときに、完全な情報となり、その正確さが保証されることとなる。
【００２１】
（第２実施形態）
図２は、本発明によるデータセキュリティフォームの第２実施形態を示した図である。
第２実施形態のデータセキュリティフォーム１０−２は、特別割引券を例にしたものであり、第１の基材１１と、第２の基材１２とを備え、第１の基材１１には、表出する面（第１の基材１１の表面）に第１のデータａとして、「特別  券」、「０００円」と印字されており、第２の基材１２は、第１の基材１１と貼り合わされ、第２の基材１２には、第２のデータｂとして、「割引」、「１００，」と印字されている。
【００２２】
このように、第２実施形態は、第１及び第２のデータａ，ｂは、各データ単体では意味をなさない情報であり、第２のデータｂは、第１の基材１１を透かして目視により判読し、重ね合わせたときに、完全な情報となる割符情報であり、特別割引券が真正であると判断することができる。
【００２３】
（変形形態）
以上説明した実施形態に限定されることなく、種々の変形や変更が可能であって、それらも本発明の均等の範囲内である。
（１）  例えば、第１の基材１１の裏面に、鏡像で第２のデータｂを印字するようにしてもよい。
（２）また、第２の基材１２の裏面から、透かし第２のデータｂを判読するようにしてもよい。この場合、表出する第１のデータａは、裏面にのみ設けられていてもよいし、表裏両面に設けられていてもよい。
（３）  第１のデータａと第２のデータｂとは、貼り合わされたときに、重なるように配置してもよい（重なったときに文字を構成する）。このようにすれば、改ざんされるまで、第２のデータｂが割符として、存在することを認識させないようにすることができる。
（４）  通知書の例で説明したが、請求書、保険証、証券、金券等、偽造や改ざんを防止したい書類に適用できる。
（５）  第１及び第２の基材は、透過率の低い例で説明したが、いずれか一方のの基材は、透過率がよいものを使用するようにしてもよい。
（６）  第２の基材は、１枚の例で説明したが、第２の基材を２枚以上にして、第１の基材と合わせて３枚以上の基材からなるフォームとすれば、よりセキュリティを向上させることができる。
【００２４】
【発明の効果】
以上詳しく説明したように、本発明によれば、基材の表出する面に第１のデータを設け、基材の表出しない内部に第２のデータを設け、その第２のデータは、基材を透かして判読できるようにし、第１及び第２のデータは、各データ単体では十分な情報ではなく、重ね合わせたときに、完全な情報となり、その正確さが保証されることとなる、という効果がある。
【図面の簡単な説明】
【図１】本発明によるデータセキュリティフォームの第１実施形態を示す図である。
【図２】本発明によるデータセキュリティフォームの第２実施形態を示す図である。
【符号の説明】
１０、１０−２  データセキュリティフォーム
１１  第１の基材
１２  第２の基材
ａ  第１のデータ
ｂ  第２のデータ
【図１】
2005007777.tif 000003
【図２】
2005007777.tif 000004